(57)【要約】      （修正有）【課題】製造コスト及び材料費がより安価で、かつ、光軸がずれずに光伝送が良好に行われる光コネクタ用アダプタ及び光接続用シャッタ部品を提供すること。【解決手段】光コネクタ用アダプタ1は、一端部側に先端が開口したハウジング部10を、他端部側に光部品4が連結される連結部11をそれぞれ有し、前記ハウジング部10へ挿入連結される光コネクタプラグ5と前記光部品4とを光軸3が一致する状態に連結する光コネクタ用アダプタ1であって、前記ハウジング部10内の開口端寄り位置には、一壁面から前記光軸を遮蔽する位置まで立ち上がる状態に曲げ部がなく平板記憶熱処理された超弾性合金製のシャッタ板2を取り付けている。【選択図】図１
2004272232.tif 000002
【特許請求の範囲】
【請求項１】
一端部側に先端が開口したハウジング部を、他端部側に光部品が連結される連結部をそれぞれ有し、前記ハウジング部へ挿入連結される光コネクタプラグと前記光部品とを光軸が一致する状態に連結する光コネクタ用アダプタであって、前記ハウジング部内の開口端寄り位置には、一壁面から前記光軸を遮蔽する位置まで立ち上がる状態に曲げ部がなく平板記憶熱処理された超弾性合金製のシャッタ板が取り付けられている、光コネクタ用アダプタ。
【請求項２】
前記ハウジング部の前記一壁面には、前記光コネクタ用アダプタの他端部方向に沿って先上り傾斜した溝が形成され、前記シャッタ板は基部が前記溝へ抜け止状に挿入されている、請求項１に記載の光コネクタ用アダプタ。
【請求項３】
前記ハウジング部内の前記一壁面には、前記光コネクタ用アダプタの他端部方向に沿って先上り傾斜した傾斜面が形成されるとともに当該傾斜面には凸部が形成され、前記傾斜面の両側には当該傾斜面に沿う溝が形成され、前記シャッタ板の基部には前記凸部に対応する孔が形成され、前記シャッタ板は前記孔と前記凸部が係合しかつ基部の両側部が前記各溝に挿入された状態で取り付けられている、請求項１に記載の光コネクタ用アダプタ。
【請求項４】
一端部側に先端が開口したハウジング部を、他端部側に光部品が連結される連結部をそれぞれ有する光コネクタ用アダプタに取り付けて使用され、一端部側に先端が開口したハウジングを有するとともに、他端部側に前記光コネクタ用アダプタのハウジング部へ挿入連結される被連結部を有し、前記ハウジングへ挿入連結される光コネクタプラグと前記光部品とを光軸が一致する状態に連結する光接続用シャッタ部品であって、前記ハウジング内の開口端寄り位置には、一壁面から前記光軸を遮蔽する位置まで立ち上がる状態に曲げ部がなく平板記憶熱処理された超弾性合金製のシャッタ板が取り付けられている、光接続部用シャッタ部品。
【請求項５】
一端部側に先端が開口したハウジング部を、他端部側に光部品が連結される連結部をそれぞれ有し、前記ハウジング部へ挿入連結される光コネクタプラグと前記光部品とを光軸が一致する状態に連結する光コネクタ用アダプタに取り付けられて使用される光接続用シャッタ部品であって、前記ハウジング部の少なくとも開口端寄り部分の外周部へ当該開口端が所定量没入する状態に取り付けられる筒状のハウジングを備え、前記ハウジングの一壁面には、前記ハウジング部への取付状態において当該ハウジング部の開口端に臨む位置から前記光軸を遮蔽する位置まで立ち上がる状態に、曲げ部がなく平板状に記憶熱処理された超弾性合金製のシャッタ板が取り付けられている、光接続用シャッタ部品。
【請求項６】
前記ハウジング内の前記一壁面には、前記光コネクタ用アダプタの他端部方向に沿って先上り傾斜した溝が形成され、前記シャッタ板は基部が前記溝へ抜け止め状に挿入されている、請求項４又は５に記載の光接続用シャッタ部品。
【請求項７】
前記ハウジング内の前記一壁面には、前記光コネクタ用アダプタの他端部方向に沿って先上り傾斜した傾斜面が形成されるとともに当該傾斜面には凸部が形成され、前記傾斜面の両側には当該傾斜面に沿う溝が形成され、前記シャッタ板の基部には前記凸部に対応する孔が形成され、前記シャッタ板は前記孔と前記凸部が係合しかつ基部の両側部が前記各溝に挿入された状態で取り付けられている、請求項４又は５に記載の光接続用シャッタ部品。
【発明の詳細な説明】
【技術分野】
【０００１】
本発明は、光ファイバの接続又は遮断のためアダプタに光コネクタプラグその他の光部品を挿脱するときに、レーザ光が外部に漏れるのを防止する光コネクタ用アダプタ、及び同様な目的で光コネクタ用アダプタに取り付けて使用される光接続用シャッタ部品に関するものである。
【背景技術】
【０００２】
光コネクタ用アダプタへの光コネクタプラグその他の光部品の挿脱時に、アダプタの一方の端部へのみ光部品が連結されている状態では、光ファイバからのレーザ光が外部に漏れる。このレーザ光によって接続作業者の目その他に危害を及ぼすおそれがあるので、このような危険を避けるため、例えば図９で示すような光コネクタ用アダプタが提案されている（後記特許文献１）。
【０００３】
図９（ａ）で示すアダプタは、一端部側に先端が開口したハウジング部１０を有し、他端部側に先端が開口したハウジング状の連結部１１を有しており、ハウジング部１０と連結部１１は基端側で接合されている。ハウジング部１０と連結部１１の内底部には、中央部に先端方向へ延びる円筒状のスリーブホルダ１０ａ，１１ａがそれぞれ連続するように形成されており、各スリーブホルダ１０ａ，１１ａ内には、割りスリーブ１２が抜け止状に挿入されている。１０ｂ，１１ｂは、それぞれのスリーブホルダ１０ａ，１１ａの両側においてハウジング部１０，１１の内底部から先端方向に延びるラッチ片である。ハウジング部１０と連結部１１は、それぞれ合成樹脂成形品で有底の横長四角筒状である。
２ａは超弾性合金（超弾性特性を有する形状記憶合金）の薄い圧延板からなるシャッタ部材である。シャッタ部材２ａは、ハウジング部１０の一壁面において、表面に長さ方向に沿って形成された浅溝１０ｃ内に定着された支持板部２ｂと、開口端寄り位置から奥行き方向へ先上り状に傾斜して立ち上がるシャッタ板部２ｃと、ハウジング部１０と連結部１１の互いに接合された底面間１３に挟まれる垂直板部２ｄとから構成されている。
図９（ａ），（ｂ）の各図で示すように、シャッタ板部２ｃは鋭角の曲げ部を介して支持板部２ｂの先端へ一体に連続しており、垂直板部２ｄは直角の曲げ部を介して支持板部２ｂの基端部へ一体に連続している。
【０００４】
図９の光コネクタ用アダプタは、連結部１１側へ図示されていない光コネクタアダプタその他の光部品を挿入連結すると、当該光部品のフェルールから光軸３に沿って（ａ）図の右方向へ発するレーザ光は、シャッタ板部２ｃによって遮蔽されるから、当該レーザ光による危害を防止することができる。ハウジング部１０へ図示されていない光コネクタプラグを挿入連結すると、当該光プラグによってシャッタ板部２ｃが折り畳み状に深く曲げられるから、前記光コネクタと光部品は光軸３が一致するように連結される。
ハウジング部１０から光コネクタプラグを引きぬくときも、シャッタ板部２ｃがその超弾性特性によって光軸３を遮蔽する元の状態に復元するので、レーザ光の外部への漏れが防止される。シャッタ部材２ａはそれ自体で復元する超弾性合金であるから、アダプタ全体を小型化できるほか、シャッタ板部２ｃを多数回起倒させても復元力は衰えない利点がある。
【特許文献１】特開平１０−１４８７３０号公報
【発明の開示】
【発明が解決しようとする課題】
【０００５】
前記従来の光コネクタ用アダプタによれば、シャッタ部材２ａは支持板部２ｂの両端部に曲げ部を有するので、これを製造するには、Ｎｉ−Ｔｉ合金その他の形状記憶合金の圧延板を必要な形状及びサイズに裁断し、これを図９の（ａ），（ｂ）図で示すように曲げ形状に拘束した状態で、形状記憶熱処理（４００〜６００℃の温度）を施す。あるいは、スプリングバック量を小さくするため、平板記憶熱処理した圧延板を裁断した後４００〜６００℃の温度下で曲げ加工して製造する。
しかしながら、シャッタ部材２ａは、これを製造する際に前述のように裁断した圧延板を曲げ状態に拘束して形状記憶熱処理したり、平板形状記憶熱処理後裁断した圧延板を高温下で曲げ加工するので製造コストが高くなる。また、支持板部２ｂの一端にはシャッタ板部２ｃを、他端には垂直板部２ｄをそれぞれ有していて全体を長く形成する必要があるので、材料費が嵩むという問題があった。さらに、垂直板部２ｄはハウジング部１０と連結部１１との接合面１３へ挟み込まれるので、光軸３がずれ易いという問題があった。
本発明の目的は、製造コスト及び材料費をより低く抑えることができ、かつ、光軸がずれずに光伝送が良好に行われる光コネクタ用アダプタ及び光接続用シャッタ部品を提供することにある。
【課題を解決するための手段】
【０００６】
本発明に係る光コネクタ用アダプタは、前記課題を解決するため、一端部側に先端が開口したハウジング部を、他端部側に光部品が連結される連結部をそれぞれ有し、前記ハウジング部へ挿入連結される光コネクタプラグと前記光部品とを光軸が一致する状態に連結する光コネクタ用アダプタであって、前記ハウジング部内の開口端寄り位置には、一壁面から前記光軸を遮蔽する位置まで立ち上がる状態に曲げ部がなく平板記憶熱処理された超弾性合金製のシャッタ板を取り付けている。
【０００７】
本発明に係る第１の光接続用シャッタ部品は、前述の課題を解決するため、一端部側に先端が開口したハウジング部を、他端部側に光部品が連結される連結部をそれぞれ有する光コネクタ用アダプタに取り付けて使用され、一端部側に先端が開口したハウジングを有するとともに、他端部側に前記光コネクタ用アダプタのハウジング部へ挿入連結される被連結部を有し、前記ハウジングへ挿入連結される光コネクタプラグと前記光部品とを光軸が一致する状態に連結する光接続用シャッタ部品であって、前記ハウジング内の開口端寄り位置には、一壁面から前記光軸を遮蔽する位置まで立ち上がる状態に曲げ部がなく平板記憶熱処理された超弾性合金製のシャッタ板を取り付けている。
【０００８】
本発明に係る第２の光接続用シャッタ部品は、前述の課題を解決するため、一端部側に先端が開口したハウジング部を、他端部側に光部品が連結される連結部をそれぞれ有し、前記ハウジング部へ挿入連結される光コネクタプラグと前記光部品とを光軸が一致する状態に連結する光コネクタ用アダプタに取り付けられて使用される光接続用シャッタ部品であって、前記ハウジング部の少なくとも開口端寄り部分の外周部へ当該開口端が所定量没入する状態に取り付けられる筒状のハウジングを備え、前記ハウジングの一壁面には、前記ハウジング部への取付状態において当該ハウジング部の開口端に臨む位置から前記光軸を遮蔽する位置まで立ち上がる状態に、曲げ部がなく平板状に記憶熱処理された超弾性合金製のシャッタ板を取り付けている。
【発明の効果】
【０００９】
本発明に係る光コネクタ用アダプタによれば、連結部へ光コネクタその他の光部品を連結した状態でハウジング部へ光コネクタプラグを挿脱する際、光部品を通じて発するレーザ光は前記シャッタ板に遮られるので、ハウジング部から外部に漏れない。したがって接続作業の際安全である。ハウジング部への光コネクタプラグの挿脱により、シャッタ板は光軸を遮蔽しない状態に変形したり復元したりするので、ハウジング部へ光コネクタプラグが連結された状態では、当該プラグと光部品は光軸が一致する状態に接続される。
シャッタ板は、曲げ部がなく平板記憶熱処理された超弾性合金であり、合金の圧延薄板を平板記憶熱処理した後シャッタ形状に打抜き又は裁断することにより効率的に製造できるので、製造コストがより安価である。従来品のように、支持板部や垂直部がないため材料費もより安価である。また、シャッタ板には光軸にずれを生じさせる要素がないので、良好な光接続が可能となる。
【００１０】
本発明に係る第１の光接続用シャッタ部品は、光接続の際に先ず当該シャッタ部品の被連結部を光コネクタ用アダプタのハウジング部へ挿入連結する。この状態でアダプタの連結部へ光コネクタその他の光部品を連結し、その後にシャッタ部品のハウジングへ光コネクタプラグを挿脱する場合、前記本発明に係る光コネクタ用アダプタと同様な作用効果を奏する。また、シャッタ手段を有しない既存の光コネクタ用アダプタに使用することにより、既存の光コネクタ用アダプタを有効に使用することができる。
【００１１】
本発明に係る第２の光接続用シャッタ部品は、光接続の際に、先ず当該シャッタ部品のハウジングを、光コネクタ用アダプタのハウジング部へ当該ハウジング部の開口端が所定量前記ハウジング内に没入する状態に取り付ける。この状態でアダプタの連結部へ光コネクタその他の光部品を連結し、その後にハウジング部へ光コネクタプラグを挿脱する場合、前記本発明に係る光コネクタ用アダプタと同様な作用効果を奏する。また、シャッタ手段を有しない既存の光コネクタ用アダプタに使用することにより、既存の光コネクタ用アダプタを有効に使用することができる。
【発明を実施するための最良の形態】
【００１２】
光コネクタ用アダプタの第１実施形態
図１（断面図）及び図２（図１の矢印Ａ−Ａに沿う拡大断面図）には、本発明に係る第１実施形態の光コネクタ用アダプタが示されている。
この光コネクタ用アダプタ１は、一端部側に先端が開口したハウジング部１０を有し、他端部側に先端が開口したハウジング状の連結部１１を有しており、ハウジング部１０と連結部１１は基端（底面）側は例えば超音波接合法により接合されている。
ハウジング部１０と連結部１１の基本的な構成は、図９の光コネクタ用アダプタとほぼ同様に構成されているので、同一構成部分については図９と同じ符号を付して詳細な説明は省略する。
【００１３】
ハウジング部１０内の開口端寄り位置には、一壁面１０ｄから光軸３を遮蔽する位置まで立ち上がる状態に、全体に曲げ部がなく平板記憶熱処理されたＮｉ−Ｔｉ合金その他の超弾性合金からなる薄い（数十μｍ）シャッタ板２が取り付けられている。この実施形態では図２で示すように、ハウジング部１０の開口端寄り位置の一壁面１０ｄに当該ハウジング部１０の奥行き方向へ先上り傾斜する溝１４を形成し、シャッタ板２の基部２０を前記溝１４に抜け止め状に挿入している。具体的には、溝１４の両端部にトンネル状部１４ａないし袋状部を形成する一方、シャッタ板２の基部２０の両端部に側方に張り出す突起２１を形成し、トンネル状部１４ａに前記突起２１を係止することにより、シャッタ板２の基部２０が溝１４から抜け出さないように構成している。シャッタ板２の基部２０の両端に形成される突起２１の平面形状は、基部２０を幅方向に撓ませてトンネル状部１４ａ内に案内できる形状であれば、四角形状でなく例えば３図のように三角形状でもあるいは他の形状でも差し支えない。
前記溝１４はハウジング部１０の奥行き方向へ先上り状に傾斜（傾斜角度θ）しているので、シャッタ板２も同様に傾斜した状態に取り付けられる。
【００１４】
シャッタ板２は、例えばＮｉ−Ｔｉ形状記憶合金の圧延薄板に適度の張力を付与しつつこれを熱処理炉内で平板記憶熱処理したものを、シャッタ板形状に打抜き又は裁断することにより容易に製造される。
【００１５】
前記実施形態の光コネクタ用アダプタによれば、図１で示すように例えば光コネクタからなる光部品４の端部を連結部１１内に限界まで挿入すると、当該光部品４はその中心を貫通するフェルール４０が割りスリーブ１２内の中央部まで挿入され、両側のラッチ片により前記連結部１１へ連結される。この状態では、光部品４から発するレーザ光は前記シャッタ板２に遮られてるのでハウジング部１０から外部に漏れない。ハウジング部１０に光部品４と同様な構成の光コネクタのプラグを挿入連結すると、シャッタ板２は当該プラグにより図１の二点鎖線で示すように光軸を遮蔽しない状態に変形し、光部品４側と光コネクタは両者のフフェルールが接触した状態で光学的に接続される。ハウジング部１０からプラグを引きぬくと、シャッタ板２はその超弾性によって元の状態に復元するので、光部品４側から発するレーザ光はハウジング部１０から外部に漏れない。したがって接続作業の際の安全性が確保される。
シャッタ板２は、全体として曲げ部がなく平板記憶熱処理された蝶弾性合金であり、合金の圧延薄板を平板記憶熱処理した後シャッタ形状に打抜き又は裁断することにより効率的に製造できるので、製造コストがより安価である。従来品のように、支持板部や垂直部がないため材料費もより安価である。また、シャッタ板２には光軸にずれを生じさせ要素がないので、良好な光接続が可能となる。
【００１６】
シャッタ板２は、ハウジング部１０内の一壁面１０ｄから直角に立ち上がるように取り付けても実施できるが、この場合には光コネクタのプラグをハウジング部１０へ挿入連結する際、シャッタ板２の面に付着している塵やごみがフェルールの先端面に移り、その塵やごみが伝送光の熱により燃えだすことがある。したがって、シャッタ板２はハウジング部１０の奥行き方向に向かって先上り傾斜しているのが好ましい。傾斜の角度θが小さいとシャッタ板２の長さが長くなり材料費が嵩むほか、光コネクタプラグをハウジング部へ挿入連結するときにフェルールがシャッタ板２に強く接触し破損の原因になり易い。このような種々の事情を考慮すると、シャッタ板２の傾斜角度θは３０〜６０°であるのがさらに好ましい。
【００１７】
光コネクタ用アダプタの第２実施形態
図４（分解斜視図）には本発明に係るアダプタの第２実施形態が示されている。
一端部側には先端が開口したハウジング部１０を、他端部側には先端が開口した連結部１１をそれぞれ有し、両者１０，１１相互の底面相互は接合されている。
ハウジング部１０の開口端から奥行き方向には断面がほぼ四角形状の挿入ガイド部１０ｅが形成されている。ハウジング部１０内の開口端寄り位置には、一壁面１０ｄから光軸を遮蔽する位置まで立ち上がる状態に、全体に曲げ部がなく平板記憶熱処理されたＮｉ−Ｔｉ合金その他の超弾性合金からな長方形の薄いシャッタ板２が、奥行き方向に向かって先上り傾斜するように取り付けられている。
【００１８】
ハウジング部１０の一壁面１０ｄには、開口端より奥行き方向に向かって先上り傾斜しかつシャッタ板２の幅よりもやや狭い幅の傾斜面１５が形成され、当該傾斜面１５のほぼ中央部には低い凸部１７が形成されている。傾斜面１５の両側には、当該傾斜面１５に沿ってあり溝に類似した形状の相対する溝１６，１６が形成され、当該溝１６の低部相互の間隔はシャッタ板２の幅よりもやや大きく形成されている。一方、シャッタ板２の基部２０には、前記凸部１７に対応する孔２２が形成されている。シャッタ板２は、その両側部を各溝１６，１６へ挿入した状態で開口端側からスライドさせながら、その先端部を幅方向にやや湾曲させて凸部１７を乗り越えさせ、さらにハウジング部１０の内部方向へスライドさせて、凸部１７と孔２２とが係合した状態（抜け止状態）で基部２０を傾斜面１５にセットしている。
【００１９】
傾斜面１５は、光コネクタをハウジング部１０へ挿入連結する際にシャッタ板２の最大曲げ歪が２％以下になるような傾斜角度に形成されているほか、前記最大曲げ歪が２％以下になるように、ハウジング部１０の内壁面とそれに挿入連結される光コネクタプラグとのクリアランスを考慮している。また、傾斜面１５の上端部を角張った形状でなくやや円弧状断面とすることにより前記最大曲げ角度をさらに小さくすることができる。
【００２０】
１０ｆは、アダプタ１を他の部材に取り付けるためハウジング部１０の相対する外面（図の上下面）に形成されたラッチ片である。
この実施形態の光コネクタ用アダプタ１は、シャッタ板２が方形であることにより材料の無駄がより少なく、したがって材料費がより安価になる。
この実施形態の光コネクタ用アダプタの他の構成や作用効果は、第１実施形態のアダプタとほぼ同様であるのでそれらの説明は省略する。
【００２１】
光接続用シャッタ部品の第１実施形態
図５（部分分解断面図）には、本発明に係る第１実施形態の光接続用シャッタ部品が示されている。
光コネクタ用アダプタ１の基本構成は第１実施形態のものとほぼ同様であるので、同じ部分に同じ符号を付して説明を省略する。
コネクタの１のハウジング部１０において、符号１０ｇは後述のシャッタ部品６における被連結部６１の外周部に形成された適正挿入位置の目印となる突起６１ｃを案内するガイドスリットである。
【００２２】
光接続用シャッタ部品６は、一端部側には先端が開口して光コネクタプラグ５を挿入連結するハウジング部６０を、他端部側には光コネクタ用アダプタ１のハウジング部１０に挿入連結される被連結部６１をそれぞれ有し、ハウジング部６０と被連結部６１はそれぞれ長さ方向に一体化する状態に接合されている。
ハウジング部６０はアダプタ１のハウジング部１０とほぼ同様に構成されており、その内低部中央部にはスリーブホルダ６０ａが形成され、スリーブホルダ６０ａの両側には内底面から開口端方向に立ち上がるラッチ片６０ｂが形成されている。
被連結部６１の先端部分は光コネクタプラグ５の先端部とほぼ同様に構成されており、中心部には長さ方向に沿ってフェルール６３が貫通している。被連結部６１の基端部には中心部にスリーブの取付孔６１ａがスリーブホルダ６０ａの孔と一致するように形成されており、スリーブホルダ６０ａと取付孔６１ａには割りスリーブ６２が抜け止状に保持されている。
【００２３】
ハウジング部６０内の開口端寄り位置には、一壁面６０ｃから光軸３を遮蔽する位置まで奥行き方向へ先上り傾斜して立ち上がるように、全体として曲げ部がなく平板記憶熱処理された超弾性合金からなる薄いシャッタ板２が取り付けられている。
シャッタ板２は、ハウジング部６０内の一壁面６０ｃへ奥行き方向に傾斜するように形成された溝６４に基部２０が案内され、第１実施形態におけるシャッタ板２と同様に溝６４に対して抜け止状に取り付けられている。
【００２４】
この実施形態の光接続用シャッタ部品６は、光接続の際に先ず当該シャッタ部品６の被連結部６１を図５のように光コネクタ用アダプタのハウジング部６０へ挿入連結する。この状態でアダプタ１の連結部１１へ光コネクタアダプタその他の光部品４を連結すると、光部品４のフェルール４０を通じて発するレーザ光はハウジング部６０内の前記シャッタ板２に遮られる。シャッタ部品６のハウジング部６０に光コネクタプラグ５を挿入連結すると、シャッタ板２が当該プラグ５によって光を遮蔽しない位置に屈曲変位し、光部品４と光コネクタプラグ５は、各フェルール４０，６３，５０が連続するように接触するので、光軸３が一致する状態に連結される。したがって、前記第１実施形態の各光コネクタ用アダプタと同様な作用効果を奏する。また、シャッタ手段を有しない既存の光コネクタ用アダプタに使用することによって、既存の光コネクタ用アダプタを有効に利用することができる。
シャッタ板２の構成による効果は、第１実施形態の光コネクタ用アダプタ１と同様である。
【００２５】
光接続用シャッタ部品の第２実施形態
図６（部分分解断面図）には、本発明に係る第２実施形態の光接続用シャッタ部品が示されている。
この実施形態において、光コネクタ用アダプタ１の基本的な構成は図５の光コネクタ用アダプタと同様であるので、各部に図５のアダプタ１と同じ符号を付して説明を省略する。
光接続用シャッタ部品６は、アダプタ１のハウジング部１０の外周部へ当該ハウジング部１０の開口端が所定量没入する状態に取り付けられる筒状のハウジング部６０を備え、当該ハウジング部６０の外周部の左右の面には、図示しない他の部材に取り付けるためのフランジ（図示しない）が形成されている。
【００２６】
前記ハウジング部６０内の一壁面６０ｃには、前記ハウジング部１０に取り付けた状態において、当該ハウジング部１０の開口端に臨む位置から光軸３を遮蔽する位置まで前記開口端方向へ先上り傾斜して立ち上がる状態に、全体として曲げ部がなく平板記憶熱処理された超弾性合金からなる薄いシャッタ板２が取り付けられている。
第１実施形態のシャッタ部品６と同様な構成により、ハウジング部６０の一壁面６０ｃには傾斜した溝６４が形成され、シャッタ板２はその基部２０が溝６４へ抜け止状に挿入された状態でハウジング部６０の一壁面６０ｃに取り付けられている。
【００２７】
この実施形態の光接続用シャッタ部品６は、光接続の際に、図示のように、先ず当該シャッタ部品６のハウジング部６０を、光コネクタ用アダプタ１のハウジング部１０へ当該ハウジング部６０の開口端が所定量前記ハウジング部６０内に没入する状態に取り付ける。この状態でアダプタ１の連結部１１へ光コネクタプラグその他の光部品４を連結し、その後にハウジング部１０へ光コネクタプラグ５を挿入連結したり、当該光コネクタプラグ５を引きぬいたりする場合、前記第１実施形態の光コネクタ用アダプタ１と同様な作用効果を奏する。また、シャッタ手段を有しない既存の光コネクタ用アダプタに使用することにより、既存の光コネクタ用アダプタを有効に使用することができる。
シャッタ板２の構成による効果は、第１実施形態の光コネクタ用アダプタ１と同様である。
【００２８】
光接続用シャッタ部品の第３実施形態
図７（部分分解断面図）には、本発明に係る第３実施形態の光接続用シャッタ部品が示されている。
光接続用シャッタ部品６の基本的構成は、第２実施形態のシャッタ部品６とほぼ同様であるが、シャッタ板２の取付要領が第２実施形態のシャッタ部品６とは異なっている。
方形のシャッタ板２は、ハウジング部６０内の一壁面６０ｃに対して図４ととほぼ同様な要領で取り付けられている。
すなわち、ハウジング部６０をアダプタ１のハウジング部１０に取り付けた状態において、ハウジング部６０内の一壁面６０ｃのハウジング部１０に臨む位置には、ハウジング部１０の開口端方向へ先上り傾斜した傾斜面６５が形成されている。当該傾斜面６５には、表面に低い凸部６７が形成され、両側にあり溝に類似した形状の相対する溝６６が前記傾斜面６５に沿って形成されている。一方、シャッタ板２の基部２０には前記凸部６７と対応する孔（符号なし）が形成されており、シャッタ板２は、前記孔に凸部６７が案内され両側部が溝６６へ挿入された状態で前記傾斜面６５に取り付けられている。
この実施形態において、シャッタ板２の形状とその取付要領による効果は、第２実施形態の光コネクタ用アダプタ（図４）と同様であり、その他の効果は第２実施形態のシャッタ部品（図６）と同様である。
【００２９】
その他の実施形態
図５の光接続用シャッタ部品６においても、ハウジング部６０に対するシャッタ板２の取付要領を図７のシャッタ板２の取付要領と同様に構成することができる。
【実施例１】
【００３０】
金属組成がＮｉ５０．９ａｔ％、Ｔｉ４９．１ａｔ％のＮｉ−Ｔｉ合金を真空溶解鋳造し、得られた鋳塊を外削後、８００℃の温度で熱間プレス加工により厚さ３０ｍｍ、幅１６０ｍｍ、長さ２５００ｍｍのスラブを製造した。このスラブの酸化皮膜をサンドブラストにより除去し、次いで８５０℃に加熱して厚さ３ｍｍまで熱間圧延し、その圧延板を７００℃で連続焼鈍したのち、表面の酸化膜を研削により除去し、次いで冷間圧延→脱脂→焼鈍の工程を繰り返し施し、最後の生地焼鈍後に圧延率２５％の仕上げ冷間圧延を施して厚さ０．０５０ｍｍの箔材を製造した。次に前記箔材を適度の張力を付与しつつ連続熱処理炉内に通して平板記憶熱処理を施して所望のＮｉ−Ｔｉ超弾性合金箔を製造した。
【００３１】
このようにして得られたＮｉ−Ｔｉ超弾性合金箔から、図１及び図２の形態のシャッタ板をを打ち抜き、当該シャッタ板を図１に示した形態の光コネクタ用アダプタ１のハウジング部１０に取付け、このハウジング部１０に対して光コネクタの挿入連結と引き抜き（挿抜）を繰り返し行い、シャッタ板２のの耐久性を調べた。その結果、シャッタ板２は、多数回挿抜を繰り返した後においても平板状に保たれ、良好なシャッタ機能を有することが確認された。
【００３２】
図９の（ｂ）図に示した従来の光コネクタ用アダプタのシャッタ部材についても同様に製造し、これを当該アダプタのハウジング部に取り付けて同様な試験を行ったところ、シャッタ部材の耐久性は本発明の第１実施形態と同様であったが、光軸にずれが生じていて光の伝送特性が劣った。
【実施例２】
【００３３】
実施例１と同様なＮｉ−Ｔｉ超弾性合金箔を製造し、この超弾性合金箔から図４で示されている矩形状形態のシャッタ板２を打ち抜き、当該シャッタ板２を図４で示す構成のハウジング部１０に取り付け、ハウジング部１０への光コネクタの挿抜を１０００回繰り返し行い、シャッタ板２の耐久性試験を行った。その結果は図８のとおりであった。
図８で示すように、５０〜１００℃の温度範囲において、ハウジング部１０に対する光コネクタの挿抜を１０００回繰り返した後でも、当該シャッタ板の形状回復に対する劣化率は１５％以下であり、優れた耐久性を示した。
【図面の簡単な説明】
【００３４】
【図１】本発明に係る光コネクタ用アダプタの第１実施形態を示す断面図である。
【図２】図１の矢印Ａ−Ａに沿う部分拡大断面図である。
【図３】シャッタ板の変形形態を示す部分平面図である。
【図４】本発明に係る光コネクタ用アダプタの第２実施形態を示す部分分解斜視図    である。
【図５】本発明に係る光接続用シャッタ部品の第１実施形態を示す分解断面図であ    る。
【図６】本発明に係る光接続用シャッタ部品の第２実施形態を示す部分分解断面図    である。
【図７】本発明に係る光接続用シャッタ部品の第３実施形態を示す部分分解断面図    である。
【図８】本発明実施例におけるシャッタ板の耐久性試験の結果を示す線図である。
【図９】従来の光コネクタ用アダプタを示す図で、（ａ）図はその断面図、（ｂ）    図はシャッタ部材の側面図と平面図である。
【符号の説明】
【００３５】
１  光コネクタ用アダプタ
１０  ハウジング部
１１  連結部
１０ａ，１１ａ，６０ａ  スリーブホルダ
１０ｂ，１１ｂ，６０ｂ  ラッチ片
１０ｄ，６０ｃ  一壁面
１２，６２  割りスリーブ
１４，１６  ６４，６６  溝
１５，６５  傾斜面
１７，６７  凸部
２  シャッタ板
２０  基部
２１  突起
２２  孔
３  光軸
４  光部品
４０，５０，６３  フェルール
５  光コネクタプラグ
６  光接続用シャッタ部品
６０  ハウジング部
６１  被連結部
【図１】
2004272232.tif 000003
【図２】
2004272232.tif 000004
【図３】
2004272232.tif 000005
【図４】
2004272232.tif 000006
【図５】
2004272232.tif 000007
【図６】
2004272232.tif 000008
【図７】
2004272232.tif 000009
【図８】
2004272232.tif 000010
【図９】
2004272232.tif 000011